(57)【要約】【課題】携帯端末の着信をユーザに報知可能な中継装置、中継装置の制御方法、通信システム、及びプログラムを提供すること。【解決手段】本発明にかかる中継装置１００は、無線ＬＡＮ通信部１０１と、電話接続部１０２と、固定電話制御部１０３と、を備える。無線ＬＡＮ通信部１０１は、携帯端末と無線ＬＡＮを介して通信する。また、無線ＬＡＮ通信部１０１は、携帯電話網を介する携帯端末への着信を通知するための携帯着信信号を、無線ＬＡＮを介して携帯端末から受信する。電話接続部１０２は、固定電話に接続される。固定電話制御部１０３は、無線ＬＡＮ通信部１０１が受信した携帯着信信号に基づいて、固定電話に携帯端末への着信を報知させる。【選択図】図１５
2014183358.tif 000002
【特許請求の範囲】
【請求項１】
携帯端末と無線ＬＡＮを介して通信可能であり、携帯電話網を介する前記携帯端末への着信を通知するための携帯着信信号を、前記無線ＬＡＮを介して前記携帯端末から受信する無線ＬＡＮ通信手段と、
固定電話に接続された電話接続手段と、
前記無線ＬＡＮ通信手段が受信した前記携帯着信信号に基づいて、前記固定電話に前記携帯端末への着信を報知させる固定電話制御手段と、
を備える中継装置。
【請求項２】
前記固定電話のＩＰ電話番号を格納する番号記憶手段と、
接続要求に含まれる発信先の電話番号を、前記固定電話のＩＰ電話番号に変換する変換手段と、をさらに備え、
前記無線ＬＡＮ通信手段は、前記無線ＬＡＮを介して、前記携帯端末を発信先とする前記接続要求を、前記携帯着信信号として前記携帯端末から受信し、
前記変換手段は、前記無線ＬＡＮ通信手段が受信した前記接続要求に含まれる発信先の電話番号を、前記携帯端末の電話番号から前記固定電話のＩＰ電話番号に変換し、
前記固定電話制御手段は、変換後の前記接続要求に基づいて、前記固定電話に前記携帯端末への着信を報知させる請求項１に記載の中継装置。
【請求項３】
ＩＰ網に接続されるＩＰ網接続手段をさらに備え、
前記無線ＬＡＮ通信手段は、前記無線ＬＡＮを介して、前記携帯端末を発信元とする前記接続要求を、前記携帯端末から受信し、
前記変換手段は、前記無線ＬＡＮ通信手段が受信した前記接続要求に含まれる発信元の電話番号を、前記携帯端末の電話番号から前記固定電話のＩＰ電話番号に変換し、
前記ＩＰ網接続手段は、変換された前記接続要求を、前記ＩＰ網を介して送信する請求項２に記載の中継装置。
【請求項４】
前記ＩＰ網接続手段は、前記ＩＰ網を介して、前記固定電話を発信先とする前記接続要求を受信し、
前記変換手段は、前記ＩＰ網接続手段が受信した前記接続要求に含まれる発信先の電話番号を、前記固定電話のＩＰ電話番号から前記携帯端末の電話番号に変換し、
無線ＬＡＮ通信手段は、変換された前記接続要求を、前記無線ＬＡＮを介して、前記携帯端末に送信する請求項２または３に記載の中継装置。
【請求項５】
前記携帯端末の発信機能を制御する携帯電話制御手段をさらに備え、
前記電話接続手段は、前記固定電話を発信元とする前記接続要求を、前記固定電話から受信し、
前記変換手段は、前記電話接続手段が受信した前記接続要求に含まれる発信元の電話番号を、前記固定電話のＩＰ電話番号から前記携帯端末の電話番号に変換し、
前記携帯電話制御手段は、前記変換手段により発信元が変換された前記接続要求を、前記無線ＬＡＮを介して、前記携帯端末に送信し、前記携帯端末に対して、前記接続要求に含まれる発信先の電話番号に前記携帯電話網を介して発信させる請求項２〜４のいずれか一項に記載の中継装置。
【請求項６】
前記固定電話制御手段は、前記固定電話に前記携帯端末への着信の報知を指示したとき、前記固定電話がオフフック状態の場合、前記固定電話がオンフック状態となった後、前記固定電話に対して前記携帯端末への着信を報知させる請求項１〜５のいずれか一項に記載の中継装置。
【請求項７】
前記携帯端末に着信があったことを通知する音声メッセージを格納するメッセージ記憶手段をさらに備え、
前記固定電話制御手段は、前記無線ＬＡＮ通信手段が受信した前記携帯着信信号に基づいて、前記固定電話を鳴動させ、前記固定電話がオフフック状態になった場合、前記固定電話の受話スピーカから前記音声メッセージを出力させる請求項１〜６のいずれか一項に記載の中継装置。
【請求項８】
携帯端末と固定電話とを中継する中継装置の制御方法であって、
携帯電話網を介する前記携帯端末への着信を通知するための携帯着信信号を、無線ＬＡＮを介して前記携帯端末から受信するステップと、
受信した前記携帯着信信号に基づいて、前記固定電話に前記携帯端末への着信を報知させるステップと、
を備える中継装置の制御方法。
【請求項９】
携帯端末と、固定電話と、中継装置と、を含む通信システムであって、
前記中継装置は、
携帯電話網を介する前記携帯端末への着信を通知するための携帯着信信号を、無線ＬＡＮを介して前記携帯端末から受信し、
受信した前記携帯着信信号に基づいて、前記固定電話に前記携帯端末への着信を報知させる通信システム。
【請求項１０】
携帯端末と固定電話とを中継する中継装置を制御するプログラムであって、
コンピュータに、
携帯電話網を介する前記携帯端末への着信を通知するための携帯着信信号を、無線ＬＡＮを介して前記携帯端末から受信させるステップと、
受信した前記携帯着信信号に基づいて、前記固定電話に前記携帯端末への着信を報知させるステップと、
を実行させるプログラム。
【発明の詳細な説明】
【技術分野】
【０００１】
本発明は、中継装置、中継装置の制御方法、通信システム、及びプログラムに関する。
【背景技術】
【０００２】
近年、スマートフォン等の携帯端末が普及している。ユーザは、外出中において、携帯端末を上着のポケットや、カバンの中などに入れて持ち歩いている。
【０００３】
なお、特許文献１〜３には、携帯端末への着信を固定電話に転送する技術が開示されている。
【先行技術文献】
【特許文献】
【０００４】
【特許文献１】特開２０１０−１９９９５８号公報
【特許文献２】特開２０１０−１８３１９９号公報
【特許文献３】特開平７−２４０９６０号公報
【発明の概要】
【発明が解決しようとする課題】
【０００５】
しかしながら、ユーザが自宅にいるときは、ユーザは、携帯端末を脱いだ上着のポケット等に入れたままにして、携帯端末を携帯していない場合がある。このような場合、ユーザは、携帯端末への着信に気づくことが難しいという問題がある。
【０００６】
本発明は、このような問題を解決するためになされたものであり、携帯端末の着信をユーザに報知可能な中継装置、中継装置の制御方法、通信システム、及びプログラムを提供することを目的としている。
【課題を解決するための手段】
【０００７】
本発明にかかる中継装置は、携帯端末と無線ＬＡＮを介して通信可能であり、携帯電話網を介する前記携帯端末への着信を通知するための携帯着信信号を、前記無線ＬＡＮを介して前記携帯端末から受信する無線ＬＡＮ通信手段と、固定電話に接続された電話接続手段と、前記無線ＬＡＮ通信手段が受信した前記携帯着信信号に基づいて、前記固定電話に前記携帯端末への着信を報知させる固定電話制御手段と、を備えるものである。
【０００８】
本発明にかかる中継装置の制御方法は、携帯端末と固定電話とを中継する中継装置の制御方法であって、携帯電話網を介する前記携帯端末への着信を通知するための携帯着信信号を、無線ＬＡＮを介して前記携帯端末から受信するステップと、受信した前記携帯着信信号に基づいて、前記固定電話に前記携帯端末への着信を報知させるステップと、を備えるものである。
【０００９】
本発明にかかる通信システムは、携帯端末と、固定電話と、中継装置と、を含む通信システムであって、前記中継装置は、携帯電話網を介する前記携帯端末への着信を通知するための携帯着信信号を、無線ＬＡＮを介して前記携帯端末から受信し、受信した前記携帯着信信号に基づいて、前記固定電話に前記携帯端末への着信を報知させるものである。
【００１０】
本発明にかかるプログラムは、携帯端末と固定電話とを中継する中継装置を制御するプログラムであって、コンピュータに、携帯電話網を介する前記携帯端末への着信を通知するための携帯着信信号を、無線ＬＡＮを介して前記携帯端末から受信させるステップと、受信した前記携帯着信信号に基づいて、前記固定電話に前記携帯端末への着信を報知させるステップと、を実行させるものである。
【発明の効果】
【００１１】
本発明により、携帯端末の着信をユーザに報知可能な中継装置、中継装置の制御方法、通信システム、及びプログラムを提供することができる。
【図面の簡単な説明】
【００１２】
【図１】実施の形態１にかかる通信システムのブロック図である。
【図２】実施の形態１にかかる通信システムの詳細なブロック図である。
【図３】実施の形態１にかかる通信システムの動作を示すフローチャートである。
【図４】実施の形態１にかかる通信システムの動作を示すフローチャートである。
【図５】実施の形態１にかかる通信システムの動作を示すフローチャートである。
【図６】実施の形態２にかかる通信システムのブロック図である。
【図７】実施の形態２にかかる通信システムの動作を示すフローチャートである。
【図８】実施の形態３にかかる通信システムのブロック図である。
【図９】実施の形態３にかかる通信システムの動作を示すフローチャートである。
【図１０】実施の形態４にかかる通信システムのブロック図である。
【図１１】実施の形態４にかかる通信システムの動作を示すフローチャートである。
【図１２】実施の形態５にかかる通信システムのブロック図である。
【図１３】実施の形態６にかかる携帯電話機の詳細なブロック図である。
【図１４】実施の形態７にかかる通信システムのブロック図である。
【図１５】本発明にかかる中継装置のブロック図である
【発明を実施するための形態】
【００１３】
＜実施の形態１＞
以下、図面を参照して本発明の実施の形態について説明する。ただし、本発明が以下の実施の形態に限定される訳ではない。また、説明を明確にするため、以下の記載及び図面は、適宜、簡略化されている。
【００１４】
＜通信システムの構成＞
本実施の形態にかかる通信システムのブロック図を図１に示す。通信システムは、携帯電話機１と、ホームゲートウェイ（以下、ＨＧＷと称す）２と、固定電話機３と、基地局４と、を備える。
【００１５】
携帯電話機１（携帯端末）は、電話機能を備える携帯端末装置である。携帯電話機１は、携帯電話網（３Ｇ回線）を用いて電話可能な端末であればよく、例えば、スマートフォン、タブレット端末等でもよい。また、携帯電話機１は、無線ＬＡＮ（以下、ＷＬＡＮ（Wireless Local Area Network）とも称す）を介して、ＨＧＷ２と接続されている。携帯電話機１は、無線ＬＡＮを介して、ＨＧＷ２と通信可能である。
【００１６】
ＨＧＷ２（中継装置）は、携帯電話機１と固定電話機３とを中継する装置である。ＨＧＷ２は、アナログポートを介して、固定電話機３と有線接続されている。ＨＧＷ２は、家庭内ＷＬＡＮ（ホームネットワーク）環境を構成する。固定電話機３は、例えば、ユーザの自宅に配置された電話機である。固定電話機３は、ＩＰ網を介して、ＩＰ電話可能な電話機である。基地局４は、携帯電話機１と携帯電話網との間の通信を中継する。なお、以下の説明においては、携帯電話機１、ＨＧＷ２、及び固定電話機３が同じ場所（例えば、自宅内）にある場合を想定して説明する。
【００１７】
＜携帯電話機１の構成＞
次に、本実施の形態にかかる携帯電話機１の構成について、図２のブロック図を参照して説明する。携帯電話機１は、３Ｇ回線着信検出機能部１１と、家庭内ＷＬＡＮ送受信機能部１２と、制御部１３と、を備える。
【００１８】
３Ｇ回線着信検出機能部１１は、３Ｇ回線を介する着信を検出し、３Ｇ回線を用いた音声通話を行うための機能ブロックである。３Ｇ回線着信検出機能部１１は、３Ｇ回線送受信用アンテナ１１１と、３Ｇ回線電話送受信回路１１２と、着信検出回路１１３と、時間検出回路１１４と、フック検出回路１１５と、を有する。
【００１９】
３Ｇ回線送受信用アンテナ１１１は、３Ｇ回線を用いて基地局４と通信するためのアンテナである。３Ｇ回線電話送受信回路１１２は、３Ｇ回線を用いた電話の接続要求の送受信を行う回路である。着信検出回路１１３は、３Ｇ回線を用いた電話の着信を検出する。時間検出回路１１４は、３Ｇ回線を介する着信の着信時間を検出する。フック検出回路１１５は、携帯電話機１が着信に応答できるか否かを判定するために、フック検出を行う。具体的には、フック検出回路１１５は、携帯電話機１がオンフック状態であるか、オフフック状態であるかを検出する。
【００２０】
家庭内ＷＬＡＮ送受信機能部１２は、無線ＬＡＮを介するＨＧＷ２との通信を制御する機能ブロックである。家庭内ＷＬＡＮ送受信機能部１２は、ＷＬＡＮ送受信用アンテナ１２１と、ＷＬＡＮ無線機１２２と、着信信号送受信回路１２３と、を有する。
【００２１】
ＷＬＡＮ送受信用アンテナ１２１は、無線ＬＡＮを用いてＨＧＷ２と通信するためのアンテナである。ＷＬＡＮ無線機１２２は、無線ＬＡＮを用いた通信を制御する。着信信号送受信回路１２３は、３Ｇ回線を介する携帯電話機１への着信を示す接続要求を、無線ＬＡＮを介してＨＧＷ２に送信する。
【００２２】
制御部１３は、携帯電話機１の各ブロックに対して命令し、携帯電話機１を統括的に制御する。制御部１３は、例えばＣＰＵを含む演算処理部であり、図示しないメモリに予め格納された処理プログラムに基づいて、各種処理を実行する。また、制御部１３は、着信検出回路１１３が検出した３Ｇ回線を介する着信を、着信信号送受信回路１２３に送信する。
【００２３】
＜ＨＧＷ２の構成＞
次に、本実施の形態にかかるＨＧＷ２の構成について、図２のブロック図を参照して説明する。ＨＧＷ２は、ＷＬＡＮ送受信用アンテナ２０１と、ＷＬＡＮ無線機２０２と、着信信号送受信回路２０３と、番号コンバータ２０４と、経路選択回路２０５と、ＣＯＤＥＣ２０６と、リンガー送出回路２０７と、音声再生回路２０８と、音声案内メッセージメモリ２０９と、電話接続ポート２１０と、番号記憶メモリ２１１と、ＩＰ電話網接続回路２１２と、制御部２１３と、を有する。
【００２４】
ＷＬＡＮ送受信用アンテナ２０１は、無線ＬＡＮを用いて携帯電話機１と通信するためのアンテナである。ＷＬＡＮ無線機２０２は、無線ＬＡＮを用いた通信を制御する。着信信号送受信回路２０３（無線ＬＡＮ通信手段）は、３Ｇ回線を介する携帯電話機１への着信を示す接続要求を、無線ＬＡＮを介して携帯電話機１から受信する。
【００２５】
番号コンバータ２０４（変換手段）は、接続要求に含まれる発信先の番号や発信元の番号を変換する。例えば、番号コンバータ２０４は、接続要求に含まれる発信先の電話番号（携帯電話機１の電話番号）090-xxxx-xxxxを、固定電話機３のＩＰ電話番号050-xxxx-xxxxに変換したり、固定電話機３のＩＰ電話番号を携帯電話機１の電話番号に変換したりする。また、番号コンバータ２０４は、接続要求に含まれる発信元の電話番号（固定電話機３のＩＰ電話番号）050-xxxx-xxxxを、携帯電話機１の電話番号090-xxxx-xxxxに変換したり、携帯電話機１の電話番号を固定電話機３のＩＰ電話番号に変換したりする。
【００２６】
経路選択回路２０５は、３Ｇ回線からの着信転送、３Ｇ回線への発信転送、ＩＰ網からの着信転送、及びＩＰ網への発信転送のいずれかの経路を選択する。ＣＯＤＥＣ２０６は、音声データの符号化・複合化を行う。リンガー送出回路２０７（固定電話制御手段）は、発信先の電話番号が固定電話機３のＩＰ電話番号である接続要求を受信すると、電話接続ポート２１０から固定電話機３にリンガー（着信音）を送出する。
【００２７】
なお、接続要求とは、発信元と発信先との間の音声通話路の確立を要求するための信号である。接続要求には、例えば、発信元の電話番号及び発信先の電話番号が含まれる。携帯電話機１に着信がある場合、接続要求は、基地局４から３Ｇ回線を介して携帯電話機１に送信される。また、固定電話機３に着信がある場合、接続要求は、ＩＰ網を介してＨＧＷ２に送信される。一方、携帯電話機１から発信する場合、接続要求は、携帯電話機１から基地局４に送信される。また、固定電話機３から発信する場合、接続要求は、ＨＧＷ２からＩＰ網に送信される。
【００２８】
音声再生回路２０８は、音声案内メッセージメモリ２０９に格納された案内メッセージを、電話接続ポート２１０（電話接続手段）から固定電話機３に出力する。音声案内メッセージメモリ２０９（メッセージ記憶手段）は、例えば、ＲＡＭ（Random Access Memory）やＲＯＭ（Read Only Memory）等の記憶装置であり、予め設定された案内メッセージを格納する。
【００２９】
番号記憶メモリ２１１（番号記憶手段）は、例えば、ＲＡＭやＲＯＭ等の記憶装置であり、番号コンバータ２０４により変更される電話番号を格納する。番号記憶メモリ２１１は、例えば、固定電話機３のＩＰ電話番号050-xxxx-xxxxと、無線ＬＡＮを介して接続された携帯電話機１の電話番号090-xxxx-xxxxと、を対応付けた番号変換テーブルを格納する。
【００３０】
ＩＰ電話網接続回路２１２（ＩＰ網接続手段）は、ＩＰ網に接続されている。ＨＧＷ２は、ＩＰ電話網接続回路２１２を用いて、ＩＰ電話の接続要求を送受信する。
【００３１】
制御部２１３（固定電話制御手段、携帯電話制御手段、機器制御手段）は、ＨＧＷ２の各ブロックに対して命令し、ＨＧＷ２を統括的に制御する。制御部２１３は、例えばＣＰＵを含む演算処理部であり、図示しないメモリに予め格納された処理プログラムに基づいて、各種処理を実行する。
【００３２】
＜固定電話機３の構成＞
次に、本実施の形態にかかる固定電話機３の構成について図２のブロック図を参照して説明する。固定電話機３は、フック検出回路３０１と、スピーカ３０２と、受話器３０３と、を有する。
【００３３】
フック検出回路３０１は、固定電話機３がオンフック状態であるか、オフフック状態であるかを検出する。具体的には、フック検出回路３０１は、受話器３０３が上がっているか、下がっている（固定電話機３に置かれている）かを検出する。
【００３４】
スピーカ３０２は、ＨＧＷ２から送出されたリンガーを出力する。なお、スピーカ３０２は、受話器３０３の受話スピーカ（図示省略）とは異なるスピーカである。受話器３０３は、固定電話機３の通話時において、音声の入出力を行う。
【００３５】
＜通信システムの動作＞
続いて、本実施の形態にかかる通信システムの動作の一例について、図３〜図５に示すフローチャートを参照して説明する。なお、通常は、携帯電話機１に対して着信があったとき、接続要求は、３Ｇ回線送受信用アンテナ１１１から着信検出回路１１３を経由して、制御部１３に入力される。制御部１３は、リングトーンを鳴動し、ユーザに通知する。そして、ユーザが応答操作を行うと、接続要求に基づいて３Ｇ回線を介する音声通話路が確立され、通話が開始する。また、番号記憶メモリ２１１は、予め携帯電話機１の電話番号や固定電話機３のＩＰ電話番号を格納しているものとする。
【００３６】
まず、携帯電話機１は３Ｇ回線を介する着信を受ける（ステップＳ１０１）。次に、携帯電話機１の制御部１３は、携帯電話機１が家庭内ＷＬＡＮ（ＨＧＷ２の無線ＬＡＮ）の受信範囲内にあるか否かを判定する（ステップＳ１０２）。
【００３７】
携帯電話機１がＷＬＡＮの受信範囲内にある場合（ステップＳ１０２：Ｙｅｓ）、携帯電話機１の時間検出回路１１４は、携帯電話機１に着信があったときからの経過時間を検出する（ステップＳ１０３）。そして、時間検出回路１１４は、経過時間が所定の時間を経過したか否かを判定する（ステップＳ１０４）。なお、所定の時間とは、例えば、数十秒から数分程度の時間であり、ユーザが適宜設定できるようにしてもよい。所定の時間が経過していない場合（ステップＳ１０４：Ｎｏ）、時間検出回路１１４は、経過時間の検出を続ける。
【００３８】
所定の時間が経過した場合（ステップＳ１０４：Ｙｅｓ）、制御部１３は、携帯電話機１の応答操作または発信相手側における呼出しの切断がないか否かを判定する（ステップＳ１０５）。
【００３９】
応答操作または呼び出し切断がない場合（ステップＳ１０５：Ｙｅｓ）、時間検出回路１１４は、所定時間を経過した旨を着信検出回路１１３に通知する。着信検出回路１１３は、基地局４から受信した接続要求を、制御部１３を介して着信信号送受信回路１２３に送信する。着信信号送受信回路１２３は、ＷＬＡＮ無線機１２２及びＷＬＡＮ送受信用アンテナ１２１を用いて、接続要求をＨＧＷ２に送信する（ステップＳ１０６）。
【００４０】
ＨＧＷ２の着信信号送受信回路２０３は、携帯電話機１から送信された接続要求をＷＬＡＮ無線機２０２及びＷＬＡＮ送受信用アンテナ２０１を用いて受信する。つまり、着信信号送受信回路２０３は、無線ＬＡＮを介して接続要求を携帯電話機１から受信する。接続要求を受信すると、番号コンバータ２０４は、番号記憶メモリ２１１を参照して、接続要求に含まれる発信先（着信を受けた携帯電話機１）の電話番号090-xxxx-xxxxを、固定電話機３のＩＰ電話番号050-xxxx-xxxxに変換する。そして、経路選択回路２０５は、固定電話機３方向への経路を決定する。つまり、経路選択回路２０５は、番号変換された接続要求をリンガー送出回路２０７に出力する。ここで、ＨＧＷ２は、固定電話機３のフック検出回路３０１の検出結果を取得し、固定電話機３がオンフック状態であるか否かを検出する（ステップＳ１０７）。
【００４１】
なお、携帯電話機１がＷＬＡＮの受信範囲内に無い場合（ステップＳ１０２：Ｎｏ）や、応答操作または呼び出し切断があった場合（ステップＳ１０５：Ｎｏ）は、通信システムはフローを終了する。
【００４２】
固定電話機３がオンフック状態である場合（ステップＳ１０７：Ｙｅｓ）、ＨＧＷ２のリンガー送出回路２０７は、制御部２１３の指示に応じて、固定電話機３のスピーカ３０２に鳴動を指示するための制御信号を送信する（ステップＳ１０８）（図４参照）。これにより、固定電話機３は鳴動を開始する。その後、制御部１３は、携帯電話機１の応答操作または呼び出し切断がないかどうかを判定する（ステップＳ１０９）。そして、応答操作または呼び出し切断がない場合（ステップＳ１０９：Ｙｅｓ）、時間検出回路１１４は、所定時間が経過したか否かを判定する（ステップＳ１１０）。所定時間が経過していない場合（ステップＳ１１０：Ｎｏ）、ＨＧＷ２は、固定電話機３のフック検出回路３０１の検出結果に基づいて、固定電話機３において応答があったか否かを判定する（ステップＳ１１１）。固定電話機３において応答がない場合（ステップＳ１１１：Ｎｏ）、固定電話機３は鳴動を続ける（ステップＳ１０８）。
【００４３】
固定電話機３において応答があった場合（ステップＳ１１１：Ｙｅｓ）、制御部２１３は、携帯電話機１への着信に対して、ユーザが固定電話機３を用いて通話できるように、携帯電話機１及び固定電話機３を制御する（ステップＳ１１２）。
【００４４】
具体的には、制御部２１３が、無線ＬＡＮを介して、固定電話機３において応答があった旨を携帯電話機１に通知する。そして、制御部２１３は、携帯電話機１の制御部１３に通話相手の音声信号を、無線ＬＡＮを介してＨＧＷ２に送信するように指示する。また、制御部２１３は、固定電話機３の受話器３０３から入力された音声信号を電話接続ポート２１０を介して受信する。制御部２１３は、固定電話機３から受信した音声信号を、無線ＬＡＮを介して、携帯電話機１に送信する。そして、制御部２１３は、携帯電話機１の制御部１３に対して、音声信号（受話器３０３から入力された音声信号）を３Ｇ回線を介して、通話相手に送信するように指示する。このように、携帯電話機１と固定電話機３との間で、ＨＧＷ２及び無線ＬＡＮを介して音声信号が送受信される。したがって、ユーザは、固定電話機３を用いて、携帯電話機１への発信者と通話することができる。なお、固定電話機３における応答から通話開始までの動作や、携帯電話機１及び固定電話機３の間の無線ＬＡＮを介する音声信号の送受信動作については、既存の技術を用いることができるため、詳細な説明は省略する。
【００４５】
なお、応答操作または呼び出し切断があった場合（ステップＳ１０９：Ｎｏ）や、所定時間が経過した場合（ステップＳ１１０：Ｙｅｓ）、制御部１３は、無線ＬＡＮを介して、ＨＧＷ２の着信信号送受信回路２０３に応答操作等があった旨を通知する。そして、ＨＧＷ２のリンガー送出回路２０７は、鳴動指示を停止する。これにより、固定電話機３は鳴動を終了し、通信システムはフローを終了する。
【００４６】
一方、図３に戻り、固定電話機３がオンフック状態でない場合（ステップＳ１０７：Ｎｏ）、つまり、固定電話機３がオフフック状態（例えば、通話中）である場合、ＨＧＷ２は、固定電話機３のオンフック状態を検出できるまで待機する。そして、図５に示すように、ＨＧＷ２が固定電話機３のオンフック状態を検出すると（ステップＳ１１３）、ＨＧＷ２は、無線ＬＡＮを介して、携帯電話機１の制御部１３にその旨を通知する。そして、制御部１３は、携帯電話機１において応答がないかどうかを判定する（ステップＳ１１４）。
【００４７】
携帯電話機１において応答がない場合（ステップＳ１１４：Ｙｅｓ）、制御部１３は、着信検出回路１１３の検出結果に基づいて、発信者側から呼び出しを切断されたか否かを判定する（ステップＳ１１５）。発信者側から呼び出しを切断されていない場合（ステップＳ１１５：Ｎｏ）、固定電話機３がオンフック状態で、かつ、発信者側からの呼び出しが継続しているため、上記のステップＳ１０７：Ｙｅｓと同様の状態となる。そのため、図３のステップＳ１０８に移行する。つまり、リンガー送出回路２０７が、固定電話機３のスピーカ３０２に鳴動を指示するための制御信号を送信する。
【００４８】
一方、発信者側から呼び出しを切断された場合（ステップＳ１１５：Ｙｅｓ）、携帯電話機１には不在着信が残る。時間検出回路１１４は、当該不在着信が所定時間以上の着信であったか否かを判定する（ステップＳ１１６）。なお、所定時間は、ユーザが適宜設定可能である。
【００４９】
不在着信が所定時間以上の着信であった場合（ステップＳ１１６：Ｙｅｓ）、制御部１３は、無線ＬＡＮを介して、その旨をＨＧＷ２の制御部２１３に通知する。そして、制御部２１３は、通知を受けると、リンガー送出回路２０７に、固定電話機３のスピーカ３０２に鳴動を指示するための制御信号を送信させる（ステップＳ１１７）。これにより、固定電話機３が鳴動を開始する。
【００５０】
時間検出回路１１４は、固定電話機３に鳴動を指示してから所定時間が経過したか否かを判定する（ステップＳ１１８）。所定時間が経過していない場合（ステップＳ１１８：Ｎｏ）、制御部２１３は、固定電話機３のフック検出回路３０１の検出結果に基づいて、固定電話機３における応答があったか否かを判定する（ステップＳ１１９）。固定電話機３において応答がない場合（ステップＳ１１９：Ｙｅｓ）、固定電話機３は鳴動を続ける（ステップＳ１１７）。
【００５１】
固定電話機３において応答があった場合（ステップＳ１１９：Ｙｅｓ）、音声再生回路２０８は、制御部２１３の指示に応じて、音声案内メッセージメモリ２０９から音声案内メッセージを読み出す。そして、音声再生回路２０８は、読み出した音声案内メッセージを、電話接続ポート２１０を介して、固定電話機３に送信する。これにより、固定電話機３は、受話器３０３の受話スピーカから音声案内メッセージを出力する（ステップＳ１２０）。このとき、音声案内メッセージとは、固定電話機３がオフフック状態（例えば、通話中）の間に、携帯電話機１に着信があったことを通知する内容のメッセージである。ユーザは、当該音声案内メッセージを聞くことにより、携帯電話機１の不在着信に気づくことができる。
【００５２】
ただし、ユーザが固定電話機３へのＩＰ網からの着信に応答した場合、固定電話機３は、上記の音声案内メッセージを出力しない。つまり、制御部２１３は、固定電話機３に携帯電話機１への着信を報知させる場合、ＩＰ網を介する固定電話機３への着信時とは異なる態様で報知させる。これにより、ユーザは、固定電話機３への着信であるか、携帯電話機１への着信であるかを容易に判断することができる。
【００５３】
なお、携帯電話機１における応答があった場合（ステップＳ１１４：Ｎｏ）や、不在着信が所定時間未満であった場合（ステップＳ１１６：Ｎｏ）、ＨＧＷ２は、携帯電話機１への着信を固定電話機３に通知しない。そして、通信システムはフローを終了する。また、固定電話機３が鳴動してから所定時間経過した場合（ステップＳ１１８：Ｙｅｓ）、ＨＧＷ２のリンガー送出回路２０７は、鳴動指示を停止する。これにより、固定電話機３は鳴動を終了し、通信システムはフローを終了する。
【００５４】
以上のように、本実施の形態にかかるＨＧＷ２の構成によれば、着信信号送受信回路２０３が、無線ＬＡＮを介して携帯電話機１から接続要求（発信先が携帯電話機１）を受信する。そして、番号コンバータ２０４が、接続要求に含まれる発信先の電話番号を、携帯電話機１の電話番号から固定電話機３のＩＰ電話番号に変換し、リンガー送出回路２０７に送信する。リンガー送出回路２０７は、受信した接続要求に基づいて、固定電話機３に対して、鳴動の指示を行い、携帯電話機１への着信を報知させる。これにより、ユーザが携帯電話機１への着信（携帯電話機１の鳴動や振動）に気づかない場合でも、ＨＧＷ２は、固定電話機３の鳴動によって、携帯電話機１への着信をユーザに報知することができる。
【００５５】
また、携帯電話機１に着信があったときに固定電話機３がオフフック状態（通話中）であっても、その後、ＨＧＷ２は、固定電話機３のオンフック状態を検出する。そして、リンガー送出回路２０７は、オンフック状態となった固定電話機３に対して、鳴動を指示し、携帯電話機１への着信を報知させる。このため、固定電話機３がオフフック状態のときに、携帯電話機１の呼び出しが切断された場合であっても、ＨＧＷ２は、携帯電話機１に不在着信があることを、固定電話機３に報知させることができる。
【００５６】
なお、一般的な携帯電話機の着信を固定電話機に転送する電話転送サービスは、３Ｇ回線を介する携帯電話機への着信を、他の公衆電話回線（ＩＰ網等）を介して固定電話機に転送する。そのため、ユーザの外出中（携帯電話機が家庭内ＷＬＡＮに接続されていない状態）に携帯電話機に着信があった場合でも、自宅の固定電話機が鳴動してしまう。つまり、不要な報知が行われてしまい、当該報知は自宅にいる家族にとっては不快な鳴動となってしまう。これに対して、本実施の形態にかかる通信システムにおいては、ＨＧＷ２が公衆電話回線ではなく、家庭内ＷＬＡＮ（ＨＧＷ２により構築された無線ＬＡＮ）を介して携帯電話機１の着信を受信する。そのため、携帯電話機１が家庭内ＷＬＡＮに接続されているときのみ、ＨＧＷ２は、携帯電話機１への着信を固定電話機３に報知させる。その結果、不要な報知が行われない。
【００５７】
＜実施の形態２＞
本発明にかかる実施の形態２について説明する。本実施の形態にかかる通信システムのブロック図を図６に示す。図６に示す通信システムは、図１に示した構成に加えて、回線終端装置５を備える。回線終端装置５は、ＨＧＷ２が構築した家庭内ＷＬＡＮとインターネット（ＩＰ網）６とを接続するための装置である。回線終端装置５は、無線または有線により、ＨＧＷ２と接続されている。なお、その他の構成については図１に示した通信システムと同様であるので、説明を適宜省略する。
【００５８】
続いて、図７に示すフローチャートを参照して、携帯電話機１が発信動作を行う場合について説明する。ただし、本実施の形態においては、携帯電話機１は、携帯電話網（３Ｇ回線）を用いず、ＩＰ網を用いて発信を行う。つまり、携帯電話機１から送信される接続要求は、図６の太線矢印（実線）で示す流れでインターネット６に送信される。
【００５９】
まず、携帯電話機１は、ユーザの操作に応じて、発信動作を行う（ステップＳ２０１）。これにより、携帯電話機１の制御部１３は、発信先と音声通話を確立させるための接続要求を生成する。当該接続要求に含まれる発信元の電話番号は携帯電話機１の電話番号であり、発信先の電話番号はユーザが電話をかけたい相手の番号である。制御部１３は、無線ＬＡＮを介して、生成した接続要求を送信する。これにより、携帯電話機１の発信動作が、ＨＧＷ２に通知される（ステップＳ２０２）。
【００６０】
ＨＧＷ２の着信信号送受信回路２０３は、無線ＬＡＮを介して、接続要求を受信し、番号コンバータ２０４に送信する。番号コンバータ２０４は、番号記憶メモリ２１１を参照して、接続要求に含まれる発信元の電話番号（携帯電話機１の電話番号）090-xxxx-xxxxを、固定電話機３のＩＰ電話番号050-xxxx-xxxxに変換する（ステップＳ２０３）。
【００６１】
そして、経路選択回路２０５は、変換後の接続要求の発信元の電話番号に基づいて、送信経路としてＩＰ網を選択する。つまり、経路選択回路２０５は、発信元の電話番号が固定電話機３のＩＰ電話番号の場合、接続要求の送信経路としてＩＰ網を選択する。これにより、番号コンバータ２０４は、ＩＰ電話網接続回路２１２を介して、変換後の接続要求を回線終端装置５に送信する。回線終端装置５は、インターネット６に接続要求を送信する（ステップＳ２０４）。
【００６２】
以上のように、本実施の形態にかかる通信システムの構成によれば、番号コンバータ２０４が、携帯電話機１からの接続要求に含まれる発信元の電話番号を、固定電話機３のＩＰ電話番号に変換する。そして、番号コンバータ２０４は、変換後の接続要求をＩＰ網（インターネット６）に送信する。これにより、携帯電話機１は、ＩＰ網を用いて発信動作を行うことができる。したがって、３Ｇ回線が使用できない場合（例えば、３Ｇ回線が圏外の場合等）でも、携帯電話機１は、ＩＰ網を介して電話の発信をすることができる。加えて、携帯電話機１が３Ｇ回線を用いずに通話することができるため、３Ｇ回線の負荷を軽減することができる。
【００６３】
＜実施の形態３＞
本発明にかかる実施の形態３について説明する。本実施の形態にかかる通信システムのブロック図を図８に示す。図８に示す通信システムは、図６に示したブロック図と同様であるため、詳細な説明を適宜省略する。
【００６４】
続いて、図９に示すフローチャートを参照して、固定電話機３がＩＰ電話の発信動作を行う場合について説明する。本実施の形態においては、固定電話機３は、ＩＰ網（インターネット６）を用いず、３Ｇ回線を用いて発信を行う。つまり、接続要求は、図８の太線矢印（実線）で示す流れで基地局４に送信される。
【００６５】
まず、固定電話機３は、ユーザの操作に応じて、発信動作を行う（ステップＳ３０１）。これにより、固定電話機３は、発信先と音声通話を確立させるための接続要求を生成し、ＨＧＷ２に対して、接続要求を送信する。これにより、固定電話機３の発信動作が、ＨＧＷ２に通知される（ステップＳ３０２）。
【００６６】
ＨＧＷ２の電話接続ポート２１０は、固定電話機３から接続要求を受信する。ＨＧＷ２の番号コンバータ２０４は、番号記憶メモリ２１１を参照して、受信した接続要求に含まれる発信元の電話番号（固定電話機３の電話番号）050-xxxx-xxxxを、携帯電話機１の電話番号090-xxxx-xxxxに変換する（ステップＳ３０３）。
【００６７】
そして、経路選択回路２０５は、変換後の接続要求の発信元の電話番号に基づいて、接続要求の送信経路として３Ｇ回線を選択する。つまり、経路選択回路２０５は、発信元の電話番号が携帯電話機１の電話番号の場合、接続要求の送信経路として３Ｇ回線を選択する。そして、経路選択回路２０５は、接続要求を着信信号送受信部２０３に送信する。これにより、着信信号送受信回路２０３は、無線ＬＡＮを介して、変換後の接続要求を携帯電話機１に送信する。携帯電話機１の制御部１３は、受信した接続要求を３Ｇ回線を介して基地局４に送信する（ステップＳ３０４）。
【００６８】
以上のように、本実施の形態にかかる通信システムの構成によれば、番号コンバータ２０４が、固定電話機３からの接続要求に含まれる発信元の電話番号を、携帯電話機１の電話番号に変換する。そして、番号コンバータ２０４は、無線ＬＡＮを介して、変換後の接続要求を携帯電話機１に送信する。そして、携帯電話機１は、受信した接続要求を携帯電話網（３Ｇ回線）に送信する。これにより、固定電話機３は、携帯電話網を用いて発信動作を行うことができる。したがって、ＩＰ網が使用できない場合でも、固定電話機３は、３Ｇ回線を介して電話の発信をすることができる。
【００６９】
＜実施の形態４＞
本発明にかかる実施の形態４について説明する。本実施の形態にかかる通信システムのブロック図を図１０に示す。図１０に示す通信システムは、図６に示したブロック図と同様であるため、詳細な説明を適宜省略する。
【００７０】
続いて、図１１に示すフローチャートを参照して、固定電話機３がＩＰ電話の着信を受ける場合について説明する。本実施の形態においては、ＨＧＷ２がＩＰ網から受信した着信に対して、携帯電話機１及び固定電話機３の両方を鳴動させる。つまり、接続要求は、図８の太線矢印で示す流れで携帯電話機１及び固定電話機３に送信される。
【００７１】
まず、ＨＧＷ２は、ＩＰ電話の着信を受ける（ステップＳ４０１）。具体的には、ＩＰ電話網接続回路２１２は、回線終端装置５を介して、インターネット６からＩＰ電話の接続要求を受信する。なお、本実施の形態の場合、ＩＰ電話の着信であるため、接続要求に含まれる発信先の電話番号は、固定電話機３の電話番号050-xxxx-xxxxである。
【００７２】
次に、番号コンバータ２０４は、受信した接続要求をコピーし、一方の接続要求をそのまま経路選択回路２０５に送信する。また、番号コンバータ２０４は、番号記憶メモリ２１１を参照して、他方の接続要求に含まれる発信先の電話番号（固定電話機３のＩＰ電話番号）050-xxxx-xxxxを、携帯電話機１の電話番号090-xxxx-xxxxに変換する（ステップＳ４０２）。そして、番号コンバータ２０４は、変換後の接続要求を経路選択回路２０５に送信する。
【００７３】
経路選択回路２０５は、受信した接続要求番号に含まれる発信先の電話番号に基づいて、接続要求の経路を選択する。経路選択回路２０５は、発信先の電話番号が固定電話機３のＩＰ電話の電話番号である接続要求をリンガー送出回路２０７に送信する。リンガー送出回路２０７は、固定電話機３に対して、鳴動を指示するための制御信号を送信する（ステップＳ４０３）。これにより、固定電話機３のスピーカ３０２が鳴動し、ユーザに着信を報知する。
【００７４】
また、経路選択回路２０５は、発信先の電話番号が携帯電話機１の電話番号である接続要求を着信信号送受信回路２０３に送信する。着信信号送受信回路２０３は、無線ＬＡＮを介して、携帯電話機１に対して接続要求を送信する。これにより、携帯電話機１の制御部１３は、自端末への着信があると判断し、図示しない携帯電話機１のスピーカを鳴動させる。つまり、ＨＧＷ２は、接続要求を送信することにより、携帯電話機１に鳴動を指示する（ステップＳ４０４）。
【００７５】
以上のように、本実施の形態にかかる通信システムの構成によれば、番号コンバータ２０４は、インターネット６を介して受信した接続要求をコピーする。そして、番号コンバータ２０４は、接続要求の一方をそのまま、他方を番号変換して、経路選択回路２０５に送信する。このため、経路選択回路２０５は、一方の接続要求を固定電話機３側に送信し、他方を携帯電話機１側に送信する。このため、携帯電話機１及び固定電話機３の双方が鳴動する。つまり、１つのＩＰ電話の着信に対して、携帯電話機１及び固定電話機３の双方が鳴動する。したがって、ユーザが、固定電話機３から離れた位置にいる場合でも、携帯電話機１を携帯していれば、固定電話機３の着信に気づくことができる。
【００７６】
なお、固定電話機３だけでなく携帯電話機１にも接続要求が送信されているため、ユーザは、携帯電話機１でも応答し、通話が可能である。つまり、携帯電話機１は、固定電話機３の子機のような役割を果たす。
【００７７】
＜実施の形態５＞
本発明にかかる実施の形態５について説明する。本実施の形態にかかる通信システムのブロック図を図１２に示す。図１２に示す通信システムは、図１に示した構成に加えて、周辺機器７を備える。周辺機器７は、ＨＧＷ２が構築した家庭内ＷＬＡＮに接続可能な機器であって、音や光等を出力する報知手段を有する機器である。周辺機器７は、例えば、テレビやＰＣ（Personal Computer）等である。周辺機器７は、無線ＬＡＮにより、ＨＧＷ２と接続されている。なお、その他の構成については図１に示した通信システムと同様であるので、説明を適宜省略する。
【００７８】
続いて、携帯電話機１への３Ｇ回線を介する着信を周辺機器７が報知する場合について説明する。まず、携帯電話機１が、３Ｇ回線を介する着信を受ける。すると、図３において説明したように、携帯電話機１は、着信を受けたことをＨＧＷ２に通知する。つまり、着信検出回路１１３は、受信した接続要求を、制御部１３を介して、着信信号送受信回路１２３に送信する。着信信号送受信回路１２３は、無線ＬＡＮを介して、接続要求をＨＧＷ２に送信する。
【００７９】
ＨＧＷ２の着信信号送受信回路２０３が携帯電話機１から接続要求を受信すると、制御部２１３は、周辺機器７に対して、携帯電話機１に着信があることを報知させる。例えば、制御部２１３は、周辺機器７としてのテレビやＰＣに対して、着信を報知するためのメッセージを表示させたり、音声を出力させたりする。
【００８０】
以上のように、本実施の形態にかかる通信システムの構成によれば、ＨＧＷ２の制御部２１３は、携帯電話機１に着信があることを、無線ＬＡＮに接続された周辺機器７に報知させる。このため、ユーザが、携帯電話機１及び固定電話機３から離れた位置にいる場合でも、周辺機器７の報知により携帯電話機１の着信に気づくことができる。
【００８１】
＜実施の形態６＞
本発明にかかる実施の形態６について説明する。本実施の形態にかかる携帯電話機１のブロック図を図１３に示す。本実施の形態にかかる携帯電話機１は、図２に示す構成に加えて、音声再生回路１１６と、音声案内メッセージメモリ１１７と、を有する。なお、その他の構成については図２と同様であるので、説明を適宜省略する。
【００８２】
音声再生回路１１６は、音声案内メッセージメモリ１１７に格納された音声案内メッセージを再生する。これにより、音声案内メッセージは、発信元に送信される。音声案内メッセージメモリ１１７は、予め設定された音声案内メッセージを格納する。なお、音声案内メッセージは、現在固定電話機３を用いてユーザに着信を報知していることを、発信元に対して通知するメッセージである。また、音声再生回路１１６は、ＨＧＷ２の制御部２１３により音声案内メッセージを再生してもよいし、携帯電話機１の制御部１３の指示に応じて、再生してもよい。
【００８３】
以上のように、本実施の形態にかかる通信システムの構成によれば、携帯電話機１は、固定電話機３を用いて、携帯電話機１の着信を報知していることを、発信元に通知することができる。そのため、発信者は、呼び出しの応答に時間がかかる可能性があることを認識できる。したがって、発信者が通常よりも呼び出し時間を長くしてくれることを期待できる。
【００８４】
＜実施の形態７＞
本発明にかかる実施の形態７について説明する。本実施の形態にかかる通信システムのブロック図を図１４に示す。本実施の形態にかかる通信システムは、複数の携帯電話機１ａ〜１ｃを備える。携帯電話機１ａ〜１ｃは、ＨＧＷ２の無線ＬＡＮ（家庭内ＷＬＡＮ）に接続されている。なお、その他の構成については図１に示した構成と同様であるので、説明を適宜省略する。また、図１４においては、携帯電話機は３つであるが、２つでも４つ以上でもよい。
【００８５】
本実施の形態にかかる携帯電話機１ａ〜１ｃは、３Ｇ回線を介する着信を受けた場合、接続要求と共に自端末の登録番号（識別情報）を、無線ＬＡＮを介して、ＨＧＷ２に送信する。例えば、図１４に示すように、携帯電話機１ａの登録番号は１番、携帯電話機１ｂの登録番号は２番、携帯電話機１ｃの登録番号は３番とする。例えば、ＨＧＷ２が、番号記憶メモリ２１１に電話番号が登録された順番等に応じて、各携帯電話機１ａ〜１ｃの登録番号を割り当てる。そして、各携帯電話機１ａ〜１ｃの登録番号は、各携帯電話機１ａ〜１ｃの電話番号に対応付けて、番号記憶メモリ２１１に格納される。
【００８６】
そして、制御部２１３は、固定電話機３に着信を報知させる際に、鳴動を指示するための制御信号に加えて、着信があった携帯電話機の登録番号も固定電話機３に送信する。固定電話機３は、スピーカ３０２を用いて鳴動することにより着信を報知する。それと共に、固定電話機３は、例えば図示しない液晶モニタに受信した登録番号を表示することにより、着信があった携帯電話機の登録番号も報知する。
【００８７】
以上のように、本実施の形態にかかる通信システムの構成によれば、ＨＧＷ２の無線ＬＡＮに複数の携帯電話機１ａ〜１ｃが接続されている。そして、携帯電話機１ａ〜１ｃは、接続要求と共に、携帯電話機の登録番号もＨＧＷ２に送信する。そして、制御部２１３は、固定電話機３に対して、携帯電話機の着信を報知させると共に、着信があった携帯電話機の登録番号も報知させる。これにより、固定電話機３は、複数の携帯電話機１ａ〜１ｃのうち、どの携帯電話機に着信があったのかを、ユーザに知らせることができる。
【００８８】
また、登録番号の代わりに、接続要求に含まれる発信先の電話番号（携帯電話機１ａ〜１ｃの電話番号）や、接続要求に含まれる発信元の電話番号を、固定電話機３の液晶モニタに表示させてもよい。
【００８９】
なお、本発明は上記実施の形態に限られたものではなく、趣旨を逸脱しない範囲で適宜変更することが可能である。
【００９０】
また、本発明にかかる中継装置１００（ＨＧＷ）は、少なくとも、無線ＬＡＮ通信部１０１と、電話接続部１０２と、固定電話制御部１０３と、を備えていればよい。無線ＬＡＮ通信部１０１は、携帯端末と無線ＬＡＮを介して通信する。無線ＬＡＮ通信部１０１は、携帯電話網を介する携帯端末への着信を通知するための携帯着信信号を、無線ＬＡＮを介して携帯端末から受信する。電話接続部１０２は、固定電話に接続される。なお、接続方法は、無線でも有線でもよい。固定電話制御手段１０４は、無線ＬＡＮ通信部１０１が受信した携帯着信信号に基づいて、固定電話に携帯端末への着信を報知させる。これにより、携帯端末の着信に気づかない場合であっても、固定電話を用いて、ユーザに携帯端末への着信を報知することができる。
【００９１】
なお、上述した実施の形態においては、携帯着信信号として接続要求を用いていたが、これに限られるものではない。つまり、携帯着信信号は、携帯電話機１への３Ｇ回線を介する着信を通知するための信号であればよく、発信先及び発信元の電話番号を含んでいなくてもよい。また、上述した実施の形態においては、固定電話機３は、鳴動することにより、携帯電話機１への着信を報知していたが、ランプの点灯やディスプレイへの表示等の方法であってもよい。
【００９２】
また、上述のＨＧＷの任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュメモリ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９３】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【００９４】
上記の実施の形態の一部又は全部は、以下の付記のようにも記載され得るが、以下には限られない。
【００９５】
（付記１）
携帯端末と無線ＬＡＮを介して通信可能であり、携帯電話網を介する前記携帯端末への着信を通知するための携帯着信信号を、前記無線ＬＡＮを介して前記携帯端末から受信する無線ＬＡＮ通信手段と、固定電話に接続された電話接続手段と、前記無線ＬＡＮ通信手段が受信した前記携帯着信信号に基づいて、前記固定電話に前記携帯端末への着信を報知させる固定電話制御手段と、を備える中継装置。
（付記２）
前記固定電話のＩＰ電話番号を格納する番号記憶手段と、接続要求に含まれる発信先の電話番号を、前記固定電話のＩＰ電話番号に変換する変換手段と、をさらに備え、前記無線ＬＡＮ通信手段は、前記無線ＬＡＮを介して、前記携帯端末を発信先とする前記接続要求を、前記携帯着信信号として前記携帯端末から受信し、前記変換手段は、前記無線ＬＡＮ通信手段が受信した前記接続要求に含まれる発信先の電話番号を、前記携帯端末の電話番号から前記固定電話のＩＰ電話番号に変換し、前記固定電話制御手段は、変換後の前記接続要求に基づいて、前記固定電話に前記携帯端末への着信を報知させる付記１に記載の中継装置。
（付記３）
ＩＰ網に接続されるＩＰ網接続手段をさらに備え、前記無線ＬＡＮ通信手段は、前記無線ＬＡＮを介して、前記携帯端末を発信元とする前記接続要求を、前記携帯端末から受信し、前記変換手段は、前記無線ＬＡＮ通信手段が受信した前記接続要求に含まれる発信元の電話番号を、前記携帯端末の電話番号から前記固定電話のＩＰ電話番号に変換し、前記ＩＰ網接続手段は、変換された前記接続要求を、前記ＩＰ網を介して送信する付記２に記載の中継装置。
（付記４）
前記ＩＰ網接続手段は、前記ＩＰ網を介して、前記固定電話を発信先とする前記接続要求を受信し、前記変換手段は、前記ＩＰ網接続手段が受信した前記接続要求に含まれる発信先の電話番号を、前記固定電話のＩＰ電話番号から前記携帯端末の電話番号に変換し、無線ＬＡＮ通信手段は、変換された前記接続要求を、前記無線ＬＡＮを介して、前記携帯端末に送信する付記２または３に記載の中継装置。
（付記５）
前記携帯端末の発信機能を制御する携帯電話制御手段をさらに備え、前記電話接続手段は、前記固定電話を発信元とする前記接続要求を、前記固定電話から受信し、前記変換手段は、前記電話接続手段が受信した前記接続要求に含まれる発信元の電話番号を、前記固定電話のＩＰ電話番号から前記携帯端末の電話番号に変換し、前記携帯電話制御手段は、前記変換手段により発信元が変換された前記接続要求を、前記無線ＬＡＮを介して、前記携帯端末に送信し、前記携帯端末に対して、前記接続要求に含まれる発信先の電話番号に前記携帯電話網を介して発信させる付記２〜４のいずれか一項に記載の中継装置。
（付記６）
前記固定電話制御手段は、前記固定電話に前記携帯端末への着信の報知を指示したとき、前記固定電話がオフフック状態の場合、前記固定電話がオンフック状態となった後、前記固定電話に対して前記携帯端末への着信を報知させる付記１〜５のいずれか一項に記載の中継装置。
（付記７）
前記携帯端末に着信があったことを通知する音声メッセージを格納するメッセージ記憶手段をさらに備え、前記固定電話制御手段は、前記無線ＬＡＮ通信手段が受信した前記携帯着信信号に基づいて、前記固定電話を鳴動させ、前記固定電話がオフフック状態になった場合、前記固定電話の受話スピーカから前記音声メッセージを出力させる付記１〜６のいずれか一項に記載の中継装置。
（付記８）
前記無線ＬＡＮ通信手段が受信した前記携帯着信信号に基づいて、前記無線ＬＡＮを介して通信可能な前記携帯端末とは異なる機器に対して、前記携帯端末への着信を報知させる機器制御手段をさらに備える付記１〜７のいずれか一項に記載の中継装置。
（付記９）
前記中継装置は、複数の前記携帯端末と接続されており、各携帯端末には、予め識別情報が割り当てられており、前記固定電話制御手段は、前記無線ＬＡＮ通信手段が受信した前記携帯着信信号に基づいて、前記固定電話に前記携帯端末への着信を報知させると共に、前記携帯着信信号を送信した前記携帯端末の識別情報を報知させる付記１〜８のいずれか一項に記載の中継装置。
（付記１０）
前記固定電話制御手段は、前記固定電話に前記携帯端末への着信を報知させる場合、前記固定電話への着信時とは異なる態様で報知させる付記１〜９のいずれか一項に記載の中継装置。
（付記１１）
前記携帯端末に、前記固定電話制御手段が前記固定電話に前記携帯端末への着信を報知させていることを、前記着信の発信元へ通知させる報知通知手段をさらに備える付記１〜１０のいずれか一項に記載の中継装置。
（付記１２）
携帯端末と固定電話とを中継する中継装置の制御方法であって、携帯電話網を介する前記携帯端末への着信を通知するための携帯着信信号を、無線ＬＡＮを介して前記携帯端末から受信するステップと、受信した前記携帯着信信号に基づいて、前記固定電話に前記携帯端末への着信を報知させるステップと、を備える中継装置の制御方法。
（付記１３）
携帯端末と、固定電話と、中継装置と、を含む通信システムであって、前記中継装置は、携帯電話網を介する前記携帯端末への着信を通知するための携帯着信信号を、無線ＬＡＮを介して前記携帯端末から受信し、受信した前記携帯着信信号に基づいて、前記固定電話に前記携帯端末への着信を報知させる通信システム。
（付記１４）
携帯端末と固定電話とを中継する中継装置を制御するプログラムであって、コンピュータに、携帯電話網を介する前記携帯端末への着信を通知するための携帯着信信号を、無線ＬＡＮを介して前記携帯端末から受信させるステップと、受信した前記携帯着信信号に基づいて、前記固定電話に前記携帯端末への着信を報知させるステップと、を実行させるプログラム。
【符号の説明】
【００９６】
１、１ａ〜１ｃ  携帯電話機
２  ＨＧＷ（ホームゲートウェイ）
３  固定電話機
４  基地局
５  回線終端装置
６  インターネット
７  周辺機器
１１  ３Ｇ回線着信検出機能部
１２  家庭内ＷＬＡＮ送受信機能部
１３、２１３  制御部
１１１  ３Ｇ回線送受信用アンテナ
１１２  ３Ｇ回線電話送受信回路
１１３  着信検出回路
１１４  時間検出回路
１１５  フック検出回路
１１６  音声再生回路
１１７  音声案内メッセージメモリ
１２１、２０１  ＷＬＡＮ送受信用アンテナ
１２２、２０２  ＷＬＡＮ無線機
１２３、２０３  着信信号送受信回路
２０４  番号コンバータ
２０５  経路選択回路
２０６  ＣＯＤＥＣ
２０７  リンガー送出回路
２０８  音声再生回路
２０９  音声案内メッセージメモリ
２１０  電話接続ポート
２１１  番号記憶メモリ
２１２  ＩＰ電話網接続回路
３０１  フック検出回路
３０２  スピーカ
３０３  受話器
【図１】
2014183358.tif 000003
【図２】
2014183358.tif 000004
【図３】
2014183358.tif 000005
【図４】
2014183358.tif 000006
【図５】
2014183358.tif 000007
【図６】
2014183358.tif 000008
【図７】
2014183358.tif 000009
【図８】
2014183358.tif 000010
【図９】
2014183358.tif 000011
【図１０】
2014183358.tif 000012
【図１１】
2014183358.tif 000013
【図１２】
2014183358.tif 000014
【図１３】
2014183358.tif 000015
【図１４】
2014183358.tif 000016
【図１５】
2014183358.tif 000017